(57)【要約】【課題】電気機器に配置された操作部品の列を覆うことができ、かつ必要に応じて覆われた操作部品のみを露出させることができるカバーを提供する。【解決手段】本発明の電気機器用保護カバー１は、絶縁性の被覆シート２，３と、該被覆シート２，３に取り付けられておりかつ電気機器の操作部品の列の前面の位置に配置されている絶縁性のスライドファスナーを含んでおり、スライドファスナーは、上記操作部品の列の方向に並んだ務歯列２０，２１と、該務歯列２０，２１上をその両端から中央に向かって変位することにより務歯を噛み合わせる２個のスライダー６０，６１とを有しており、２個のスライダー６０，６１の少なくとも一方を務歯２０，２１上を変位させることにより互いに接近させたときに、２個のスライダー６０，６１間の噛み合っていない務歯によって少なくとも１個の操作部品を操作することのできる大きさの開口Ｏ１が形成される。【選択図】図２
2008029119.tif 000002
【特許請求の範囲】
【請求項１】
電気機器の筐体上または内部に配置されている該機器の使用過程において作業員による操作が施される操作部品の列を少なくとも覆う電気機器用保護カバーであって、
絶縁性の被覆シートと、該被覆シートに取り付けられておりかつ前記操作部品の列の前面の位置に配置される絶縁性のスライドファスナーとを含んでおり、
前記スライドファスナーは、前記操作部品の列に沿って伸びる務歯列と、該務歯列上をその両端から中央に向かって変位することにより務歯を噛み合わせる２個のスライダーとを有しており、
前記２個のスライダーの少なくとも一方を務歯列上を変位させることにより２個のスライダーを互いに接近させたときに、２個のスライダー間の噛み合っていない務歯によって少なくとも１個の前記操作部品を操作することのできる大きさの開口が形成されるようになっている電気機器用保護カバー。
【請求項２】
前記電気機器用保護カバーが、前記操作部品の列に沿って伸びる縁部を互いに対向させて配置される少なくとも２枚の被覆シートを含んでおり、
前記スライドファスナーの務歯列が、前記対向する縁部にそれぞれ設けられており、
前記スライドファスナーの２個のスライダーが、一方の被覆シートの務歯列上に２個、または、両方の被覆シートの務歯列上に１個ずつ設けられており、
各スライダーを務歯列の端部に位置させ、この端部位置において、一方の務歯列に設けられている各スライダーを対向する他方の務歯列の端部の務歯に嵌合させた後、前記２個のスライダーの少なくとも一方を務歯列上を変位させることにより２個のスライダーを互いに接近させたときに、隣接して配置される被覆シートが接続されるとともに、２個のスライダー間の噛み合っていない務歯によって少なくとも１個の前記操作部品を操作することのできる大きさの開口が形成されるようになっていることを特徴とする、請求項１に記載の電気機器用保護カバー。
【請求項３】
互いに接近した２個のスライダーの間に配置される、噛み合っていない務歯によって形成される開口の形状を規定する保形部材を備えていることを特徴とする、請求項１または２のいずれか１項に記載の電気機器用保護カバー。
【請求項４】
前記スライダーに、前記保形部材を接続するための係止部が設けられていることを特徴とする、請求項３に記載の電気機器用保護カバー。
【請求項５】
前記保形部材が、噛み合っていない務歯列を嵌入させるための溝部を備えた環状部材または半環状部材であることを特徴とする、請求項３または４に記載の電気機器用保護カバー。
【請求項６】
前記保形部材が、噛み合っていない務歯列によって形成される開口内に挿入される脚部を備えた環状部材または半環状部材であることを特徴とする、請求項３または４に記載の電気機器用保護カバー。
【請求項７】
前記環状または半環状の保形部材が複数の棒状部材を接続することにより形成されており、隣接する棒状部材どうしが一方の棒状部材に備えられた他方の棒状部材の周面に摺動自在に係合する接続部を介して接続されており、噛み合っていない務歯によって形成される開口の大きさが調節できるようになっていることを特徴とする、請求項５または６に記載の電気機器用保護カバー。
【請求項８】
前記操作部品の列以外の部分を覆う被覆シートをさらに含んでおり、隣接する被覆シートがスライドファスナー機構により互いに接続されるようになっていることを特徴とする、請求項２〜７のいずれか１項に記載の電気機器用保護カバー。
【発明の詳細な説明】
【技術分野】
【０００１】
本発明は、各種電気（電子）機器の筐体上または内部に配置されている該機器の使用過程において作業員による操作が施される操作部品の列を少なくとも覆うことができる電気機器用保護カバーに関する。
【背景技術】
【０００２】
各種電気機器における防塵性や絶縁性を確保するために、電気機器の全体または一部を覆う被覆シートで構成されたカバーが使用されている。例えば、特開平７−１４３６２１号公報（特許文献１）は、図１８に示す、配電盤９０に内蔵された器具８９の前面側に配置される保護カバー９１を提案している。このカバー９１は柔軟な絶縁性薄板状部材により構成されており、カバー９１の上端部が押さえ板９６により取付枠９４に固定され、下端部が面ファスナー９３Ａ，９３Ｂにより取付枠９５に着脱可能に係止されるようになっている。カバー９１を構成する薄板状部材は、その上端部を除いて垂直方向の切れ目によって複数部分に分割されている。
【０００３】
【特許文献１】特開平７−１４３６２１号公報
【発明の開示】
【発明が解決しようとする課題】
【０００４】
ところで、電気機器の動作や保守点検等の使用過程において、機器に備えられているスイッチや調節つまみを操作したり、端子台の接続端子に配線を施したり、端子間の電流や電圧を測定したりするなどの作業が必要になる。そして、高機能を有する電気機器であればあるほど、備えられているスイッチ、調節つまみ、端子等の操作部品（本発明において、電気機器の動作や保守点検等の電気機器の使用過程において、作業員による操作、例えば、スイッチのオン／オフ操作、調節つまみのボリューム調整、配線作業、電流や電圧の測定、部品の動作確認等が施される、スイッチ、調節つまみ、端子台上の接続端子、各種電気(電子)部品に付属している電極、パワーターミナル、試験ターミナル、コネクター等をまとめて「操作部品」という。）の点数が多くなり、これらの操作部品が列をなして電気機器の筐体上または内部に配置されている。そして、このような操作部品の列の前面に特許文献１に開示されているカバーを配置した場合には、保護カバー９１の対応する分割部分の下端部を取付枠９５から外して捲り上げた後に必要な作業を行うことになるが、捲り上げられた分割部分に覆われていた操作部品（器具８９）の列の全体が同時に露出することになるため、例えば目的のスイッチ以外のスイッチを誤ってオンにしてしまい、または目的の端子以外の端子に誤って触れてしまい、電気機器の故障を招いたり感電事故を招いたりする危険がある。
【０００５】
このような危険性は、絶縁性のシートで構成された保護カバーの一部を切断して開口を形成し、作業のために必要な操作部品のみが開口から露出するようにすることによって回避されうる。しかしながら、保護カバーに形成された開口部分はその後常時開放状態となってしまうため、使用後の保護カバーはもはや電気機器の覆うべき領域の全体を覆うためのカバーとしては使用することができず、廃棄せざるを得なくなり、経済的に極めて不利である。
【０００６】
そこで、本発明は、上記事情を考慮し、各種電気機器に配置された操作部品の列を少なくとも覆うことができ、かつ必要に応じて覆われた一部分に当たる操作部品のみを露出させることができるように構成され、かつ繰り返し使用することができる電気機器用保護カバーを提供することを目的とする。
【課題を解決するための手段】
【０００７】
上述の課題は、電気機器の筐体上または内部に配置されている該機器の使用過程において作業員による操作が施される操作部品の列を少なくとも覆う電気機器用保護カバーであって、絶縁性の被覆シートと、該被覆シートに取り付けられておりかつ上記操作部品の列の前面の位置に配置される絶縁性のスライドファスナーとを含んでおり、上記スライドファスナーは、上記操作部品の列に沿って伸びる務歯列と、該務歯列上をその両端から中央に向かって変位することにより務歯を噛み合わせる２個のスライダーとを有しており、上記２個のスライダーの少なくとも一方を務歯列上を変位させることにより２個のスライダーを互いに接近させたときに、２個のスライダー間の噛み合っていない務歯によって少なくとも１個の上記操作部品を操作することのできる大きさの開口が形成されるようになっている電気機器用保護カバーによって達成される。
【０００８】
本発明において、「絶縁性」の被覆シートおよびスライドファスナーには、全体が絶縁材料で構成された物の他、表面のみが絶縁材料で被覆された物も含まれる。また、本発明の保護カバーによって保護される操作部品の列に含まれる操作部品の数は複数であれば限定がなく、一列に複数種類の操作部品が含まれていてもよい。さらに、操作部品の列の方向には限定がなく、操作部品が直線的に並んで列を形成していてもよく、曲線的に並んで列を形成していてもよい。また、本発明の保護カバーは、電気機器の筐体表面を覆っていてもよく、例えば図１８に示されているように内部に配置された操作部品の列を覆うために本発明の保護カバーを使用することもできる。また、操作部品の列の近傍のみを覆うために本発明の保護カバーを使用することもできる。
【０００９】
本発明によると、電気機器の使用過程において作業員による操作が施される操作部品の列の前面に配置された絶縁性のスライドファスナーの２個のスライダーの位置を変更することにより、噛み合っていない務歯によって形成される開口の位置および大きさを任意に変更することができ、上記操作部品の列の中の実際に操作を施す対象の操作部品の位置に開口を形成すると共に、対象の操作部品以外の操作部品を噛み合った務歯によって確実に被覆することができるため、他の操作部品に対して間違った操作が施されるのを防止することができる。また、必要に応じて開口位置を変更した際には、変更前の開口部分がスライドファスナーの噛み合った務歯により被覆されるため、保護カバーを廃棄することなく繰り返し使用することができる。
【００１０】
本発明では、１枚の被覆シートを使用し、この被覆シートの上記操作部品の列の前面に配置される位置に、上記操作部品の列に沿って伸びるスリット部を形成し、このスリット部に上述のようなスライドファスナーを取り付けることもできるが、上記操作部品の列に沿って伸びる縁部を互いに対向させて配置される少なくとも２枚の被覆シートを使用してもよい。この形態では、上記スライドファスナーの務歯列が隣接して配置される被覆シートの対向する縁部にそれぞれ設けられており、上記スライドファスナーの２個のスライダーが一方の被覆シートの務歯列上に２個または両方の被覆シートの務歯列上に１個ずつ設けられており、各スライダーを務歯列の端部に位置させ、この端部位置において、一方の務歯列に設けられている各スライダーを対向する他方の務歯列の端部の務歯に嵌合させた後、上記２個のスライダーの少なくとも一方を務歯列上を変位させることにより２個のスライダーを互いに接近させたときに、隣接して配置される被覆シートが接続されるとともに、２個のスライダー間の噛み合っていない務歯によって少なくとも１個の上記操作部品を操作することのできる大きさの開口が形成されるようになっている。
【００１１】
この少なくとも２枚の被覆シートを使用する形態によると、縁部に務歯列およびスライダーが設けられた種々の大きさの被覆シートを予め準備しておき、準備した被覆シートを適当に組み合わせることにより、使用する電気機器の操作部品の列に適合させた保護カバーを迅速かつ容易に形成することができる。この場合に、上記対向する縁部に設けられた務歯列の長さが同じであると、両方の務歯列に跨った開口が形成されることになり、上記対向する縁部に設けられた務歯列の長さが異なっていると、長い方の務歯列の方に偏った開口が形成されることになる。
【００１２】
本発明の電気機器用保護カバーは、上記被覆シートおよび上記スライドファスナーを、例えばポリプロピレンのような透明材料により構成するのが好ましい。透明材料により構成すると、務歯列上のスライダーの固定位置、従ってまた、噛み合っていない務歯により形成される開口の位置および大きさを変更する際に、操作対象とすべき操作部品が見えるので、変更後の開口の位置および大きさを容易に決定することができるため好ましい。また、スライダーの形状は、務歯列上をその端部から中央に向かって変位することにより務歯を噛み合わせることが可能であれば特に限定がないが、務歯列が噛み合った状態から噛み合っていない状態に移行するときの、または噛み合っていない状態から噛み合った状態に移行するときの、務歯列の伸びる方向を略直角に変更させるための案内部材、例えば案内ローラ、がスライダーに設けられていると、務歯列の伸びる方向の変更がスムーズに進み、従って開口位置の変更作業を行い易くなるため好ましい。
【００１３】
本発明の電気機器用保護カバーにおいて、互いに接近した２個のスライダーの間に配置される、噛み合っていない務歯によって形成される開口の形状を規定する保形部材をさらに備えることができる。この保形部材により開口の形状が所定形状に維持されるため、作業員による開口内の操作部品に対する操作が実行しやすくなる。また、開口の形状を保ったまま開口位置を変更することができる。このとき、上記スライダーに、上記保形部材を接続するための係止部が設けられているのが好ましい。２個のスライダーのそれぞれの係止部に保形部材を接続することにより、作業員が一方のスライダーに対して務歯列上を移動させる作業を行うだけで、保形部材および他方のスライダーが追随して務歯列上を移動するため、開口の位置の変更を容易に行うことができる。
【００１４】
上記保形部材は、例えば硬質ゴムのような弾性材料により構成するのが好ましい。弾性部材により構成すると、噛み合っていない務歯によって形成される開口に保形部材を設置する際の設置操作を容易に行うことができるため好ましい。
【００１５】
保形部材の形状は、開口の形状を所定形状に維持できるものであれば特に制限はないが、例えば、噛み合っていない務歯列を嵌入させるための溝部を備えた環状部材、例えば全円状または略矩形状の環状部材、または、噛み合っていない務歯列を嵌入させるための溝部を備えた半環状部材、例えば半円状または略コ字状の半環状部材を保形部材として用いることができる。この形態では、噛み合っていない務歯列を保形部材の溝部内に嵌入させることにより開口の形状が規定され、また開口位置の変更時には、保形部材が噛み合わない務歯列を溝部の内面に接触させながらスライダーに追随して移動するため、開口形状を保ったままで開口位置の移動を容易に行うことができる。
【００１６】
また、噛み合っていない務歯列によって形成される開口内に挿入される脚部を備えた環状部材、例えば全円状または略矩形状の環状部材、または、噛み合っていない務歯列によって形成される開口内を貫通する脚部を備えた半環状部材、例えば半円状または略コ字状の半環状部材を保形部材として用いることもできる。この形態では、噛み合っていない務歯列によって形成される開口内に脚部を挿入することにより開口の形状が規定され、また開口位置の変更時には、保形部材が噛み合わない務歯列を脚部に接触させながらスライダーに追随して移動するため、開口形状を保ったままで開口位置の移動を容易に行うことができる。そして、この形態では、上記脚部における務歯列との接触部に回転自在なローラが取り付けられていると、噛み合わない務歯列がローラ上を滑りながら通過するため、開口位置の移動がさらに容易になる。
【００１７】
また、上記環状または半環状の保形部材が複数の棒状部材を接続することにより形成されており、隣接する棒状部材どうしが一方の棒状部材に備えられた他方の棒状部材の周面に摺動自在に係合する接続部を介して接続されており、噛み合っていない務歯によって形成される開口の大きさが調節できるようになっていると、操作対象の操作部品の大きさに合わせてその部品を操作するのに適した開口の大きさに調節することができるため好ましい。
【００１８】
本発明の電気機器用保護カバーでは、上記操作部品の列の前面以外の領域を覆う被覆シートをさらに含んでもよく、この場合には、隣接する被覆シートを上述のようなスライドファスナー機構により互いに接続することができる。この形態により、例えば電気機器の筐体全体を覆う保護カバーを形成することができる。
【発明の効果】
【００１９】
本発明によれば、スライドファスナーにおける２個のスライダーの少なくとも一方を務歯列上を変位させて２個のスライダーを互いに接近させることにより、噛み合っていない務歯により形成された開口から、作業員による操作が必要な操作部品のみ、例えばオンオフ操作が必要なスイッチのみ、配線作業を施す必要のある端子のみを露出させることができ、間違った操作を回避することができる。また、その開口の形状を維持する保形部材を利用することにより、操作部品に対する操作を円滑に行うことができる。
【発明を実施するための最良の形態】
【００２０】
以下、本発明の実施形態に係る電気機器用保護カバーについて、図面を参照しながら説明する。
【００２１】
（第１実施形態）
第１実施形態は、電気機器の筐体上に配置された操作部品の列を覆うために使用される、複数枚の被覆シートを組み合わせて形成された保護カバーに相当する。
【００２２】
図１は、操作部品としてのスイッチの列を筐体の前面に有する電気機器に対して使用される本実施の形態の保護カバーを示している。図１（Ａ）は本実施の形態の保護カバーを装着した電気機器の概略的な斜視図であり、図１（Ｂ）は本実施の形態の保護カバーのみを概略的に示している。
【００２３】
電気機器８０は、筐体の前面に、計器８１や操作部品としてのスイッチの列８２，８３，８４，８５を備えており、本実施の形態の保護カバー１の上辺部と下辺部が、電気機器８０に付属の押さえ板８０ａ，８０ｂにより、電気機器８０の筐体の前面の上辺部と下辺部に取り付けられている。
【００２４】
本実施の形態の保護カバー１は、スイッチの列８２，８３，８４，８５に沿って伸びる縁部を互いに対向させて配置された、５枚の絶縁性で透明な樹脂で形成された矩形状の被覆シート２，３，４，５，６を含んでいる。そして、これらの被覆シート２，３，４，５，６の互いに隣接する縁部には、絶縁性で透明な樹脂製のオープンファスナーのテープ半体がそれぞれ取り付けられている。
【００２５】
図２には、上から１枚目の被覆シート２と上から２枚目の被覆シート３の隣接領域を拡大して示す。図２（Ａ）には、分離している状態の被覆シート２，３を示しており、図２（Ｂ）には、スライドファスナー機構により接続された状態の被覆シート２，３を示している。図２（Ａ）に示すように、被覆シート２と被覆シート３の互いに対向する縁部には、等しい長さの務歯列２０，２１を有するテープ半体１０，１１がそれぞれ取り付けられている。そして、各務歯列２０，２１の一方の端部には箱４０，４１が、他方の端部には蝶棒５０，５１がそれぞれ設けられており、また、各務歯列２０，２１上にはそれぞれ１個のスライダー６０，６１が係合している。スライダー６０，６１には、被覆シート２、３の外面側に、スライダー６０，６１を移動させるための引き手６０ａ，６１ａが設けられており、被覆シート２，３の内面側（電気機器に対向する面側）に、後述する保形部材７０を接続するための係止部６０ｂ，６１ｂ（図４参照）が設けられている。
【００２６】
各スライダー６０，６１を箱４０，４１に隣接させて務歯列２０，２１の端部に位置させ、この端部位置において、被覆シート２側のスライダー６０に被覆シート３側の蝶棒５０を係合させ、蝶棒５０の先端を箱４０内に嵌入させた後、スライダー６０の引き手６０ａを把持してスライダー６０を務歯列２０，２１上をスライダー６１の方向に移動させることにより、または、被覆シート３側のスライダー６１に被覆シート２側の蝶棒５１を係合させ、蝶棒５１の先端を箱４１内に嵌入させた後、スライダー６１の引き手６１ａを把持してスライダー６１を務歯列２０，２１上をスライダー６０の方向に移動させることにより、対向する務歯列２０，２１の務歯２０ａ、２１ａが噛み合い、２枚の被覆シート２，３が接続される。そして、図２（Ｂ）に示すように、２個のスライダー６０，６１の少なくとも一方を務歯列２０，２１上を移動させ、２個のスライダー６０，６１を適当な離間距離まで接近させると、２個のスライダー６０，６１間の噛み合っていない務歯２０ａ，２１ａによって、開口Ｏ１が形成される。
【００２７】
図３には、上から２枚目の被覆シート３と上から３枚目の被覆シート４の隣接領域を拡大して示す。図３（Ａ）には、分離している状態の被覆シート３，４を示しており、図３（Ｂ）には、スライドファスナー機構により接続された状態の被覆シート３，４を示している。図３（Ａ）に示すように、被覆シート３と被覆シート４の互いに対向する縁部には、長さの異なる務歯列２２，２３を有するテープ半体１２，１３がそれぞれ取り付けられている。そして、短い方の務歯列２２の両端部には箱４２，４３が、長い方の務歯列２３の両端部には蝶棒５２，５３がそれぞれ設けられており、さらに、短い方の務歯列２２上には、２個のスライダー６２，６３が係合している。スライダー６２，６３には、被覆シート３，４の外面側に、スライダー６２，６３を移動させるための引き手６２ａ，６３ａが設けられており、被覆シート３，４の内面側（電気機器に対向する面側）に、後述する保形部材７１を接続するための係止部６２ｂ，６３ｂ（図６参照）が設けられている。
【００２８】
被覆シート３側の各スライダー６２，６３を箱４２，４３に隣接させて務歯列２２の両端部に位置させ、この端部位置において、スライダー６２に被覆シート４側の蝶棒５２を係合させた後、蝶棒５２の先端を箱４２に嵌入させ、スライダー６２を引き手６２ａを用いて務歯列２２，２３上をスライダー６３の方向に変位させることにより、または、スライダー６３に被覆シート４側の蝶棒５３を係合させた後、蝶棒５３の先端を箱４３に嵌入させ、スライダー６３を引き手６３ａを用いて務歯列２２，２３上をスライダー６２の方向に変位させることにより、対向する務歯列２２，２３の務歯２２ａ，２３ａが噛み合い、２枚の被覆シート３，４が接続される。そして、図３（Ｂ）に示すように、２個のスライダー６２，６３の両方に蝶棒５２，５３を係合させ、２個のスライダー６２，６３の少なくとも一方を務歯列２２，２３上を移動させ、２個のスライダー６２，６３を適当な離間距離まで互いに接近させると、２個のスライダー６２，６３間の噛み合っていない務歯２２ａ，２３ａによって開口Ｏ２が形成される。開口Ｏ２は、長い方の務歯列２３を有する被覆シート４の方に偏って広がっている。
【００２９】
上から３枚目の被覆シート４と上から４枚目の被覆シート５との間の隣接領域における務歯列２４，２５とスライダー６４，６５を含むスライドファスナー機構の構成は、上述の被覆シート２と被覆シート３の間の隣接領域における構成と同様であり、上から４枚目の被覆シート５と上から５枚目の被覆シート６との間の隣接領域における務歯列２６，２７とスライダー６６，６７を含むスライドファスナー機構の構成は、上述の被覆シート３と被覆シート４の間の隣接領域にける構成と同様であり、説明を省略する。
【００３０】
本実施の形態の保護カバー１が装着された電気機器８０における操作部品としてのスイッチのオン／オフ操作に先立って、隣接して配置された被覆シートの間の２個のスライダーの間に保形部材が取付けられる。
【００３１】
図４には、上から１枚目の被覆シート２と上から２枚目の被覆シート３の間のスライダー６０，６１間の開口Ｏ１に配置される保形部材７０とその設置方法を示す。スライダー６０，６１の間には、開口Ｏ１の形状を維持するための絶縁性の樹脂で形成された保形部材７０が設置される。保形部材７０は、スライダー６０，６１の移動方向と平行に配置されるべき一対の横辺部７０ａと、スライダー６０，６１の移動方向と垂直に配置されるべき一対の縦辺部７０ｂとからなる略矩形状の環状部材であり、横辺部７０ａと縦辺部７０ｂで囲まれた保形部材開口域Ｓ１の大きさは、スイッチの列８２を構成するスイッチ８２ａを露出させてオン／オフ操作するのに十分な大きさを有している。一対の横辺部７０ａの両端部近傍には、開口Ｏ１に挿入されるべき脚部７０ｃがそれぞれ２個設けられており、脚部７０ｃは、横辺部７０ａおよび縦辺部７０ｂを含む平面に対して垂直に伸びるスライダー６０，６１間の噛み合っていない務歯２０ａ，２１ａを接触させるための務歯接触部７０ｄと、務歯接触部７０ｄの先端から直角に屈曲して外方に向かって伸びる被覆シート２，３の縁部および後述するローラ７０ｆが脚部７０ｃから脱落するのを防止するための脱落防止部７０ｅとを有している。そして、それぞれの脚部７０ｃの務歯接触部７０ｄには、ローラ７０ｆが回転自在に取り付けられている。円筒状のローラ７０ｆは、両端に移行するに連れて太くなっており、中央の凹部に噛み合っていない務歯２０ａ，２１ａが接触してローラ７０ｆから脱落しにくいようになっている。
【００３２】
保形部材７０をスライダー６０，６１に取り付ける際には、保形部材７０を被覆シート２，３の内面側（電気機器に対向する面側）に持って行き、脚部７０ｃを開口Ｏ１内に挿入した後、縦辺部７０ｂの中央部をスライダー６０，６１の係止部６０ｂ，６１ｂにそれぞれ係合させ、噛み合っていない務歯２０ａ，２１ａをローラ７０ｆの中央の凹部に当接させる。
【００３３】
図５は、上述のようにして保形部材７０をスライダー６０，６１間の開口Ｏ１に取付けた保護カバー１の使用方法を示す。作業者は、電気機器８０のスイッチの列８２のいずれかのスイッチ８２ａのオン／オフ操作をしたい場合に、一方のスライダー６０または６１の引き手６０ａまたは６１ａを把持して務歯列２０，２１上を操作対象のスイッチ８２ａの方に移動させると、保形部材７０および他方のスライダー６０または６１が追随して移動する。そして、保形部材７０は、噛み合っていない務歯２０ａ，２１ａを保形部材７０のローラ７０ｆに接触させながら移動する。従って、スライダー６０，６１の務歯列２０，２１上での移動によっても開口Ｏ１の形状が維持され、操作対象のスイッチ８２ａが開口Ｏ１から露出するようにすることができ、作業員は他のスイッチを誤って操作することなく、開口Ｏ１から露出したスイッチ８２ａのオン／オフ操作を確実に行うことができる。
【００３４】
図６には、上から２枚目の被覆シート３と上から３枚目の被覆シート４の間のスライダー６２，６３間の開口Ｏ２に配置される保形部材７１とその設置方法を示す。スライダー６２，６３の間には、開口Ｏ２の形状を維持するための絶縁性の樹脂で形成された保形部材７１が設置される。保形部材７１は、スライダー６２，６３の移動方向と平行に配置されるべき横辺部７１ａと、スライダー６２，６３の移動方向と垂直に配置されるべき一対の縦辺部７１ｂとからなる略コ字状の半環状部材であり、横辺部７１ａと一対の縦辺部７１ｂおよび縦辺部７１ｂの端部を結ぶ直線で囲まれた保形部材開口域Ｓ２の大きさは、スイッチの列８３を構成するスイッチ８３ａを露出させてオン／オフ操作するのに十分な大きさを有している。横辺部７１ａの両端部近傍には、開口Ｏ２に挿入されるべき脚部７１ｃが２個設けられている。脚部７１ｃは、横辺部７１ａおよび縦辺部７１ｂを含む平面に対して垂直に伸びるスライダー６２，６３間の噛み合っていない務歯２３ａを接触させるための務歯接触部７１ｄと、務歯接触部７１ｄの先端から直角に屈曲して外方に向かって伸びる被覆シート４の縁部および後述するローラ７１ｆが脚部７１ｃから脱落するのを防止するための脱落防止部７１ｅとを有している。そして、それぞれの脚部７１ｃの務歯接触部７１ｄには、ローラ７１ｆが回転自在に取り付けられている。円筒状のローラ７１ｆは両端に移行するに連れて太くなっており、中央の凹部に噛み合っていない務歯２３ａが接触してローラ７１ｆから脱落しにくいようになっている。
【００３５】
保形部材７１をスライダー６２，６３に取り付ける際には、保形部材７１を被覆シート３，４の内面側（電気機器に対向する面側）に持って行き、横辺部７１ａが被覆シート４側に来るように配置し、脚部７１ｃを開口Ｏ２内に挿入した後、一対の縦辺部７１ｂの端部をスライダー６２，６３の係止部６２ｂ，６３ｂにそれぞれ係合させ、噛み合っていない務歯２３ａをローラ７１ｆの中央の凹部に当接させる。
【００３６】
図７は、上述のようにして保形部材７１をスライダー６２，６３間の開口Ｏ２に取付けた保護カバー１の使用方法を示す。作業者は、電気機器８０のスイッチの列８３のいずれかのスイッチ８３ａのオン／オフ操作をしたい場合に、一方のスライダー６２または６３の引き手６２ａまたは６３ａを把持して務歯列２２，２３上を操作対象のスイッチ８３ａの方に移動させると、保形部材７１および他方のスライダー６２または６３が追随して移動する。そして、保形部材７１は、噛み合っていない務歯２３ａを保形部材７１のローラ７１ｆに接触させながら移動する。従って、スライダー６２，６３の務歯列２２，２３上での移動によっても開口Ｏ２の形状が維持され、操作対象のスイッチ８３ａが開口Ｏ２から露出するようにすることができ、作業員は他のスイッチを誤って操作することなく、開口Ｏ２から露出したスイッチ８３ａのオン／オフ操作を確実に行うことができる。
【００３７】
上から３枚目の被覆シート４と上から４枚目の被覆シート５との間における保形部材およびその取り付け方法、使用方法は、上述の被覆シート２と被覆シート３の間における保形部材およびその取り付け方法、使用方法と同様であり、上から４枚目の被覆シート５と上から５枚目の被覆シート６との間における保形部材およびその取り付け方法、使用方法は、上述の被覆シート３と被覆シート４の間における保形部材およびその取り付け方法、使用方法と同様であり、説明を省略する。
【００３８】
本実施の形態の保護カバー１によると、作業員は、操作対象のスイッチのみを開口から露出させることにより、他のスイッチを誤ってオン／オフ操作することなく、操作対象のスイッチを確実に操作することができる。
【００３９】
（第２実施形態）
第２実施形態は、電気機器の筐体上に配置された端子台における接続端子の列を覆うために使用される保護カバーに相当する。
【００４０】
図８は、本実施の形態の保護カバーおよび該カバーを装着する操作部品としての接続端子の列を有する端子台を筐体の背面に有する電気機器の概略的な斜視図である。図８（Ａ）は保護カバーを装着される電気機器の概略的な斜視図であり、図８（Ｂ）は保護カバーを装着した状態の概略図である。電気機器８０は、筐体の背面に、操作部品としての接続端子の列８６を有する端子台８７を備えており、本実施の形態の絶縁性材料で構成された保護カバー１は、電気機器８０の６面を覆っている。
【００４１】
図９は、本実施の形態の保護カバー１の展開図を示している。保護カバー１における被覆シート７Ａは電気機器８０の天面並びに底面を覆い、被覆シート７Ｂは電気機器８０の背面を覆い、被覆シート７Ｃは電気機器８０の正面を覆い、被覆シート７Ｄは電気機器８０の側面を覆っている。また、各被覆シート７Ａ〜７Ｄの各縁部には、スライドファスナー機構を構成する、務歯列３０と、この務歯列３０上を変位するスライダー３１と、務歯列３０の一端に設けられた箱３２、務歯列３０の他端に設けられた蝶棒３３、スライダー３１の脱落を防止する止め具３４とが備えられており、隣接する被覆シート７Ａ〜７Ｄの対向する縁部に設けられた蝶棒３３を対向する箱３２に係合し、スライダー３１を変位操作することによって、対向する務歯列３０が互いに噛み合い、隣接する被覆シート７Ａ〜７Ｄが互いに接続されるようになっている。
【００４２】
被覆シート７Ｂの電気機器８０の端子台８７の位置に配置される部分には、端子台８７の接続端子の列８６に沿って伸びるスリット８が形成されており、スリット８の端部近傍の位置には、被覆シート７Ｂを端子台８７に取付けるための孔９が設けられている。
【００４３】
スリット８には、絶縁性で透明な材料で構成されたいわゆる頭合わせのスライドファスナー１４、すなわち、スリット８の長さと略等しい長さを有する互いに噛み合うことができる務歯列２８，２９と、務歯列２８，２９上をその両端から中央に向かって変位することにより務歯列２８，２９の務歯２８ａ，２９ａを噛み合わせる２個のスライダー６８，６９とを含むスライドファスナー１４が取付けられている。スライダー６８，６９には、被覆シート７Ｂの外面側に、スライダー６８，６９を移動させるための引き手６８ａ，６９ａが設けられており、被覆シート７Ｂの内面側（電気機器に対向する面側）に、後述する保形部材７２を接続するための係止部６８ｂ，６９ｂ（図１０参照）が設けられている。スライダー６８，６９の少なくとも一方を務歯列２８、２９上を変位させて務歯２８ａ，２９ａを噛み合わせ、２個のスライダー６８，６９を適当な離間距離まで接近させると、２個のスライダー６８，６９間の噛み合っていない務歯２８ａ，２９ａによって開口Ｏ３が形成される。
【００４４】
開口Ｏ３には、開口Ｏ３の形状を維持するための絶縁性の硬質ゴムで形成された保形部材７２が取付けられている。図１０には、保形部材７２とその設置方法を示す。保形部材７２は全円状の部材であり、円に囲まれた保形部材開口域Ｓ３は、端子台８７の１個の接続端子８６ａの全体が開口域Ｓ３から視認できるような大きさに設定されている。環の外周に、噛み合っていない務歯２８ａ，２９ａを嵌入させるための溝部７２ａを備えており、さらに、環には、スライダー６８，６９の係止部６８ｂ，６９ｂに接続させるための一対の腕部７２ｂが設けられている。
【００４５】
保形部材７２をスライダー６８，６９に取り付ける際には、保形部材７２を被覆シート７Ｂの内面側（電気機器に対向する面側）に持って行き、開口Ｏ３内に挿入した後、一対の腕部７２ｂをスライダー６８，６９の係止部６８ｂ，６９ｂにそれぞれ係合させ、噛み合っていない務歯２８ａ，２９ａを保形部材７２の溝部７２ａに挿入する。その後、被覆シート７Ｂに設けられた孔９に通した螺子により電気機器８０の端子台８７の両端に被覆シート７Ｂを固定する。
【００４６】
図１１は、上述のようにして保形部材７２をスライダー６８，６９間の開口Ｏ３に取付けた保護カバー１の使用方法を示す。作業者は、電気機器８０の端子台８７の接続端子の列８６のいずれかの接続端子８６ａに配線操作を施したい場合に、一方のスライダー６８または６９の引き手６８ａまたは６９ａを把持して務歯列２８，２９上を操作対象の接続端子８６ａの方に移動させると、保形部材７２および他方のスライダー６８または６９が追随して移動する。そして、保形部材７２は、噛み合っていない務歯２８ａ，２９ａを保形部材７２の溝部７２ａの内面に接触させながら移動する。従って、スライダー６８，６９の務歯列２８，２９上での移動によっても開口Ｏ３の形状が維持され、操作対象の接続端子８６ａの真上に開口Ｏ３を配置することができ、作業員は他の接続端子に誤って配線操作を施すことなく、開口Ｏ３から視認できる接続端子８６ａに対して確実に配線操作を施すことができる。
【００４７】
以上、２つの実施の形態について説明したが、本発明はこれらの実施の形態に限定されず、本発明の趣旨を逸脱しない範囲内での変更が可能である。
【００４８】
例えば、図１２（Ａ）に示す細長い略長方形状や、図１２（Ｂ）に示す長さの異なる平行な２つの縁部を有する略台形状、あるいは、図１２（Ｃ）に示す楕円形状といった被覆シート２Ａを組み合わせて、この被覆シート２Ａの縁部に務歯列２０Ａを配置し、無歯列２０Ａ上にスライダー６０Ａを配置し、電気機器の大きさ、形状、覆うべき部位（面）に合わせてこれらの被覆シート２Ａを組み合わせて保護カバーを形成することができる。また、操作部品の列を覆うスライドファスナーの務歯列の長さや務歯列の伸びる方向も、操作部品の数や操作部品の列の伸びる方向等の条件によって変更することができる。
【００４９】
また、保形部材の形状も上述の実施形態における形状に限定されず、複数の棒状部材を接続することにより構成することもできる。例えば、図１３に示した保形部材７３のように、一対の略コ字形状の部材７３ａ，７３ｂと、この部材７３ａ，７３ｂにそれぞれ設けられた被覆シート２Ａの表裏に跨る脚部（図示せず）を介してローラ７３ｃとを備え、部材７３ａ，７３ｂの両端どうしがインロー方式で密接に係合するように構成してもよい。このインローの係合度合（入り込み深さ）によって、開口Ｏ４の大きさを調整することができる。
【００５０】
また、図１４に示した保形部材７４は、絶縁性材料からなる略Ｌ形状に形成された部材７４ａと、部材７４ａの端部の接続部７４ｂに密接かつ摺動自在に挿入されるスライダーの移動方向に平行に配置されるべき一対の棒状部材７４ｃおよびスライダーの移動方向に垂直に配置されるべき一対の棒状部材７４ｄと、部材７４ａに設けられた被覆シート２Ａの表裏に跨る脚部（図示せず）を介して設けられたローラ７５ｅとを備えており、棒状部材７４ｃ，７４ｄの部材７４ａへの係合度合（入り込み深さ）によって開口Ｏ５の大きさを縦横方向に調整することができる。
【００５１】
さらに、図１５に示した保形部材７５は、絶縁性の弾性材料からなる円弧形状に形成された連結部材７５ａと、この連結部材７５ａの端部の接続部７５ｂに密接かつ摺動自在に挿入される絶縁性の弾性材料からなる円弧状部材７５ｃと、連結部材７５ａの両端に設けられた被覆シート２Ａの表裏に跨る脚部（図示せず）を介して設けられたローラ７５ｄとを備えており、円弧状部材７５ｃの連結部材７５ａへの係合度合（入り込み深さ）によって、開口Ｏ６の大きさを周方向で調整することができる。
【００５２】
さらに、本発明では、保形部材を必ずしも使用する必要がない。図１６には、保護カバー１の被覆シート２Ａ，３Ａにそれぞれ配置された務歯列２０Ａ，２１Ａ上を移動するスライダー６０Ａ，６１Ａの間に保形部材を設置しない形態を示す。図１６（Ａ）は２個のスライダー６０Ａ，６１Ａ間に形成された開口部近傍の概略的な正面図を示しており、図１６（Ｂ）は図１６（Ａ）のＡ−Ａに沿った断面図を示している。図１６に示すように、電子機器８０Ａに取り付けられた操作部品としてのスイッチ８２Ａを操作時のみスライダー６０Ａ，６１Ａ間に形成された開口部から外方に突出させるようにすれば、スイッチ８２Ａの操作を支障なく行うことができる。
【００５３】
また、本発明では、務歯列が噛み合った状態から噛み合っていない状態に移行するときの、または噛み合っていない状態から噛み合った状態に移行するときの、務歯列の伸びる方向を略直角に変更させるための案内ローラを案内部材としてスライダーに設けることもできる。図１７には、保護カバーの被覆シート２Ａ、３Ａの務歯列２０Ａ，２１Ａ上を移動するスライダー６０Ａとして、案内ローラが２個設けられたスライダー６０Ａを使用した形態を示す。図１７（Ａ）はスライダー６０Ａの近傍の概略的な正面図を示しており、図１７（Ｂ）は図１７（Ａ）のＢ−Ｂに沿った断面図を示している。スライダー６０Ａの外面側基部６０ｃの頭部（スライダー間に形成される開口部に接近した側）には、内面側基部６０ｄの方向に向かって伸びる軸６０ｅが設けられており、この軸６０ｅには案内ローラ６０ｆがそれぞれ回転可能に軸支されている。被覆シート２Ａ，３Ａの縁部に配置された互いに噛み合っている務歯列２０Ａ，２１Ａがスライダー６０Ａから開口部Ｏ７側に出て噛み合わせが解かれる際に、務歯列２０Ａ，２１Ａを構成する務歯２０Ａａ，２１Ａａのシート側端部２０ａａ，２１ａａが案内ローラ６０ｆに当接した状態で、噛み合わせが解かれた務歯列が噛み合っている務歯列の伸びる方向に対して略垂直な方向に案内される。従って、引き手(図示せず)を用いてスライダー６０Ａの位置を変更する際に、案内ローラ６０ｆがスライダー６０Ａ内から開口部Ｏ７への務歯列２０Ａ，２１Ａの案内、または、開口部Ｏ７からスライダー６０Ａ内への務歯列２０Ａ，２１Ａの案内を円滑に進めるため、開口位置の変更作業を行い易くなる。
【００５４】
スライダー６０Ａによって噛み合わせられる務歯列２０Ａ，２１Ａの長さが略等しい場合には、図１７に示すように、それぞれの務歯列を案内するために各１個の案内ローラ６０ｆをスライダー６０Ａに設けるが、スライダー６０Ａによって噛み合わせられる務歯列２０Ａ，２１Ａの長さが異なる場合には、スライダー６０Ａには長い方の務歯列を案内するための案内ローラ６０ｆを１個だけ設けておけばよい。
【図面の簡単な説明】
【００５５】
【図１】電気機器に対して使用される保護カバーの一実施形態を示している。（Ａ）は保護カバーを装着した電気機器の概略的な斜視図であり、（Ｂ）は保護カバーのみの概略図である。
【図２】図１における上から１枚目の被覆シートと上から２枚目の被覆シートの隣接領域の概略図である。（Ａ）は、分離している状態の被覆シートを示しており、（Ｂ）は、接続された状態の被覆シートを示している。
【図３】図１における上から２枚目の被覆シートと上から３枚目の被覆シートの隣接領域の概略図である。（Ａ）は、分離している状態の被覆シートを示しており、（Ｂ）は、接続された状態の被覆シートを示している。
【図４】図１における上から１枚目の被覆シートと上から２枚目の被覆シートの間のスライダー間に配置される保形部材の概略図および保形部材の取り付け方法の説明図である。
【図５】図４に示す保形部材が適用された保護カバーの使用方法の説明図である。
【図６】図１における上から２枚目の被覆シートと上から３枚目の被覆シートの間のスライダー間に配置される保形部材の概略図および保形部材の取り付け方法の説明図である。
【図７】図６に示す保形部材が適用された保護カバーの使用方法の説明図である。
【図８】別の実施の形態の保護カバーを示している。（Ａ）は保護カバーを装着される電気機器の概略的な斜視図であり、（Ｂ）は保護カバーを装着した状態の概略図である。
【図９】図８に示す保護カバーの展開図である。
【図１０】図８に示す保護カバーのスライダー間に配置される保形部材の概略図および保形部材の取り付け方法の説明図である。
【図１１】図１０に示す保形部材が適用された保護カバーの使用方法の説明図である。
【図１２】本発明の保護カバーに用いられる被覆シートの組み合わせ例を示す平面図である。
【図１３】保形部材の変形例を示す概略図である。
【図１４】他の保形部材の変形例を示す概略図である。
【図１５】他の保形部材の変形例を示す概略図である。
【図１６】保護カバーのスライダー間に保形部材を設置しない形態を示している。（Ａ）は２個のスライダー間に形成された開口部近傍の概略的な正面図であり、（Ｂ）は（Ａ）のＡ−Ａに沿った断面図を示している。
【図１７】案内ローラを設けたスライダーを使用した形態を示している。（Ａ）はスライダー近傍の概略的な正面図であり、（Ｂ）は（Ａ）のＢ−Ｂに沿った断面図を示している。
【図１８】従来技術の保護カバーを装着した電気機器の概略図である。
【符号の説明】
【００５６】
１…保護カバー
２〜７，２Ａ，３Ａ、７Ａ〜７Ｄ…被覆シート
８…スリット
９…孔
１０〜１３…テープ半体
１４…スライドファスナー
２０〜２９，２０Ａ，２１Ａ…務歯列
２０ａ，２１ａ，２２ａ，２３ａ，２８ａ，２９ａ，２０Ａａ，２１Ａａ…務歯
３０…務歯列
３１…スライダー
３２…箱
３３…蝶棒
３４…止め具
４０〜４３…箱
５０〜５３…蝶棒
６０〜６９，６０Ａ，６１Ａ…スライダー
６０ｂ，６１ｂ，６２ｂ，６３ｂ，６８ｂ，６９ｂ…係止部
６０ｆ…案内ローラ（案内部材）
７０〜７５…保形部材
７０ｃ，７１ｃ…脚部
７２ａ…溝部
７４ｂ，７５ｂ…接続部
Ｏ１〜Ｏ７…開口
Ｓ１〜Ｓ３…保形部材開口域
８０，８０Ａ…電気機器
８２〜８５…スイッチの列（操作部品の列）
８２ａ，８３ａ，８２Ａ…スイッチ（操作部品）
８６…接続端子の列（操作部品の列）
８６ａ…接続端子（操作部品）
【図１】
2008029119.tif 000003
【図２】
2008029119.tif 000004
【図３】
2008029119.tif 000005
【図４】
2008029119.tif 000006
【図５】
2008029119.tif 000007
【図６】
2008029119.tif 000008
【図７】
2008029119.tif 000009
【図８】
2008029119.tif 000010
【図９】
2008029119.tif 000011
【図１０】
2008029119.tif 000012
【図１１】
2008029119.tif 000013
【図１２】
2008029119.tif 000014
【図１３】
2008029119.tif 000015
【図１４】
2008029119.tif 000016
【図１５】
2008029119.tif 000017
【図１６】
2008029119.tif 000018
【図１７】
2008029119.tif 000019
【図１８】
2008029119.tif 000020